(57)【要約】【課題】迅速で正確な着脱を可能にすると共に、衛生的な排泄物の処理を可能にした、差込み便器用の汚物吸収シートを提供する。【解決手段】汚物吸収シートは、裏面シートと表面シートとの間に吸収体が挟まれた本体部と、本体部の周囲に配置された吸収体を挟まない周縁部とを備えた四角形の吸収シートからなり、吸収シートの周縁部は、幅方向に延びる第１周縁部と、第１周縁部から垂直方向に延びる第２周縁部および第３周縁部とを含み、吸収シートを、第２周縁部および第３周縁部を備えた両側から内側に折り返し、第１周縁部の両隅部が第１周縁部自身と重なった状態で固定されて係止部となり、係止部の両側に第１周縁部で囲まれた開口部がそれぞれ形成され、挿入端部が係止部に当たった状態で差込み便器に汚物吸収シートが取り付けられ、開口部の中に第１周辺部の端部を通すことにより、汚物吸収シートが裏返され、汚物吸収シートが差込み便器から取り外される。【選択図】図１
2020130998.tif 000002
【特許請求の範囲】
【請求項１】
差込み便器に着脱可能に装着する汚物吸収シートであって、
前記汚物吸収シートは、
裏面シートと表面シートとの間に吸収体が挟まれた本体部と、
前記本体部の周囲に配置された吸収体を挟まない周縁部と、を備えた四角形の吸収シートからなり、
前記吸収シートの前記周縁部は、幅方向に延びる第１周縁部と、前記第１周縁部から垂直方向に延びる第２周縁部および第３周縁部と、を含み、
前記吸収シートを、前記第２周縁部および前記第３周縁部を備えた両側から内側に折り返し、前記第１周縁部の両隅部が前記第１周縁部自身と重なった状態で固定されて係止部となり、前記係止部の両側に前記第１周縁部で囲まれた開口部がそれぞれ形成され、
前記差込み便器は、
表面と裏面とを有する底面部と、前記底面部の表面の両側から立ち上がる１組の側壁部と、前記１組の側壁部の一方で、前記１組の側壁部を接続する後壁部と、前記１組の側壁部の他方に設けられた挿入端部とを含み、
前記差込み便器の前記挿入端部が前記第１周縁部に向けて前記汚物吸収シートの内側に挿入され、前記挿入端部が前記係止部に当たった状態で前記差込み便器に前記汚物吸収シートが取り付けられ、
前記開口部の中に前記第１周辺部の端部を通すことにより、前記汚物吸収シートが裏返され、前記汚物吸収シートが前記差込み便器から取り外されることを特徴とする汚物吸収シート。
【請求項２】
前記係止部は、前記第２周縁部と前記第３周縁部とが突き合わせた状態で、前記第１周縁部の両隅部が前記第１周縁部自身に固定された係止部であることを特徴とする請求項１に記載の汚物吸収シート。
【請求項３】
前記係止部は、前記第２周縁部と前記第３周縁部とを重ねた状態で、前記前記第１周縁部の両隅部が前記第１周縁部自身に固定された係止部であることを特徴とする請求項１に記載の汚物吸収シート。
【請求項４】
前記係止部に隣接して、前記第２周縁部に前記第３周縁部が固定された副係止部を有することを特徴とする請求項３に記載の汚物吸収シート。
【請求項５】
前記係止部は、前記第２周縁部と前記第３周縁部が所定の間隔で平行に配置された状態で、前記前記第１周縁部の両隅部が前記第１周縁部自身に固定された係止部であることを特徴とする請求項１に記載の汚物吸収シート。
【請求項６】
前記係止部は、前記第２周縁部と前記第３周縁部との間にスリットを有することを特徴とする請求項５に記載の汚物吸収シート。
【請求項７】
前記係止部は、前記第１周辺部同士が溶着された矩形の溶着部からなることを特徴とする請求項１〜６のいずれか１項に記載の汚物吸収シート。
【請求項８】
前記係止部から、前記第１周縁部の２つの端部までの距離が等しいことを特徴とする請求項１〜７のいずれか１項に記載の汚物吸収シート。
【発明の詳細な説明】
【技術分野】
【０００１】
本発明は、差込み便器に装着して使用する汚物吸着シートに関し、特に、差込み便器に着脱可能に装着でき、使い捨てが可能な介護用の汚物吸着シートに関する。
【背景技術】
【０００２】
被介護者が仰向けに寝た状態で排泄物を処理する場合、仰臥位の被介護者の股間に便器を差し込んで、排泄物の処理が行われる。この場合、差込み便器に着脱可能な汚物吸収シートを被せて被介護者の股間に差込み、被介護者が排泄を終えた後、汚物吸収シートを裏返して排泄物を包んだ状態で汚物吸収シートを差込み便器から外し廃棄する（例えば、特許文献１、２参照）。特に、介護の現場では、差込み便器への汚物吸収シートの脱着を、迅速かつ正確に行う必要があるとともに、衛生面から、排泄物の廃棄時は、排泄物を汚物吸収シートで覆い、介護者に触れないようにする必要がある。
【０００３】
例えば、特許文献１では、汚物吸収シートの先端部を折り返して係止部とし、この係止部に差込み便器の先端を挟むことで汚物吸収シートを差込み便器に装着し、被介護者の股間に差込んで排泄を行った後、汚物吸収シートを差込み便器から外して排泄物の廃棄を行っている。また、引用文献２では、汚物吸収シートの先端部を袋状に閉じることにより、この袋状の先端部に差込み便器の先端を差し込むことで汚物吸収シートを差込み便器に装着し、被介護者の股間に差込んで排泄を行った後、汚物吸収シートを差込み便器から外して排泄物の廃棄を行っている。
【先行技術文献】
【特許文献】
【０００４】
【特許文献１】実開平３−１０４３１７号公報
【特許文献２】特許第６３４２０４７号公報
【発明の概要】
【発明が解決しようとする課題】
【０００５】
しかしながら、引用文献１の汚物吸収シートでは、係止部は、汚物吸収シートの先端部を折り返しただけの構造であり、汚物吸収シートに差込み便器を装着する際に、差込方向と垂直な方向に、差込み便器がずれる場合がある。また、汚物吸収シートに差込み便器を装着した状態で、被介護者の股間に挿入する場合、係止部の折り返しがのびて、汚物吸収シートが差込み便器からずれるという問題があった。
【０００６】
また、引用文献２の汚物吸収シートでは、汚物吸収シートの先端部を袋状に閉じられているため、汚物吸収シートのずれは防止できるが、一方で、汚物吸収シートを裏返して排泄物を汚物吸収シートで覆う作業が迅速に行えず、また裏返し時に、排泄物が飛散し、衛生面で問題があった。
【０００７】
そこで、本発明は、迅速さが要求される介護の現場に適用でき、迅速で正確な着脱を可能にすると共に、衛生的な排泄物の処理を可能にした、差込み便器用の汚物吸収シートの提供を目的とする。
【課題を解決するための手段】
【０００８】
本発明の形態は、
差込み便器に着脱可能に装着する汚物吸収シートであって、
汚物吸収シートは、
裏面シートと表面シートとの間に吸収体が挟まれた本体部と、
本体部の周囲に配置された吸収体を挟まない周縁部と、を備えた四角形の吸収シートからなり、
吸収シートの周縁部は、幅方向に延びる第１周縁部と、第１周縁部から垂直方向に延びる第２周縁部および第３周縁部と、を含み、
吸収シートを、第２周縁部および第３周縁部を備えた両側から内側に折り返し、第１周縁部の両隅部が第１周縁部自身と重なった状態で固定されて係止部となり、係止部の両側に第１周縁部で囲まれた開口部がそれぞれ形成され、
差込み便器は、
表面と裏面とを有する底面部と、底面部の表面の両側から立ち上がる１組の側壁部と、１組の側壁部の一方で、１組の側壁部を接続する後壁部と、１組の側壁部の他方に設けられた挿入端部とを含み、
差込み便器の挿入端部が第１周縁部に向けて汚物吸収シートの内側に挿入され、挿入端部が係止部に当たった状態で差込み便器に汚物吸収シートが取り付けられ、
開口部の中に第１周辺部の端部を通すことにより、汚物吸収シートが裏返され、汚物吸収シートが差込み便器から取り外されることを特徴とする汚物吸収シートである。
【発明の効果】
【０００９】
本発明にかかる汚物吸収シートでは、汚物吸収シートの内側に、係止部に当たるまで差込み便器を挿入することで、汚物吸収シートで包まれた状態で汚物吸収シートを差込み便器に取り付けることができる。また、開口部を利用して汚物吸収シートを裏返すことで、排泄物を覆った状態で汚物吸収シートの取り外しが可能となり、正確で容易かつ迅速な着脱および衛生的な排泄物の処理が可能な汚物吸収シートを提供できる。
【図面の簡単な説明】
【００１０】
【図１】本発明の実施の形態１にかかる汚物吸収シートの斜視図である。
【図２】本発明の実施の形態１にかかる汚物吸収シートに用いる吸収シートの平面図である。
【図３】本発明の実施の形態１にかかる汚物吸収シートに用いる吸収シートの底面図である。
【図４】図２に示した吸収シートをＩＶ−ＩＶ方向に見た場合の断面図である。
【図５】本発明の実施の形態１にかかる汚物吸収シートの平面図である。
【図６】本発明の実施の形態１にかかる汚物吸収シートの平面図である。
【図７】本発明の実施の形態１にかかる汚物吸収シートの開口部を示す斜視図である。
【図８】本発明の実施の形態１にかかる汚物吸収シートの平面図である。
【図９】本発明の実施の形態１にかかる汚物吸収シートが装着される差込み便器の斜視図である。
【図１０】本発明の実施の形態１にかかる汚物吸収シートが装着される差込み便器の他の斜視図である。
【図１１】本発明の実施の形態１にかかる汚物吸収シートが装着される差込み便器の他の斜視図である。
【図１２】本発明の実施の形態１にかかる汚物吸収シートを差込み便器に装着する工程を示す斜視図である。
【図１３】本発明の実施の形態１にかかる汚物吸収シートを差込み便器に装着する工程を示す平面図である。
【図１４】本発明の実施の形態１にかかる汚物吸収シートを差込み便器に装着する工程を示す斜視図である。
【図１５】本発明の実施の形態１にかかる汚物吸収シートの使用状態を示す斜視図である。
【図１６】本発明の実施の形態１にかかる汚物吸収シートの使用状態を示す概略図である。
【図１７】本発明の実施の形態１にかかる汚物吸収シートの取り外し工程を示す斜視図である。
【図１８】本発明の実施の形態２にかかる汚物吸収シートの平面図である。
【図１９】本発明の実施の形態２にかかる汚物吸収シートの平面図である。
【図２０】本発明の実施の形態３にかかる汚物吸収シートの平面図である。
【図２１】本発明の実施の形態３にかかる汚物吸収シートの平面図である。
【図２２】本発明の実施の形態４にかかる汚物吸収シートの平面図である。
【図２３】本発明の実施の形態４にかかる汚物吸収シートの平面図である。
【図２４】本発明の実施の形態５にかかる汚物吸収シートの平面図である。
【図２５】本発明の実施の形態５にかかる汚物吸収シートの平面図である。
【図２６】本発明の実施の形態６にかかる汚物吸収シートの平面図である。
【発明を実施するための形態】
【００１１】
＜実施の形態１＞
図１は、全体が１００で表される、本発明の実施の形態１にかかる汚物吸収シートの斜視図である。汚物吸収シート１００は、後述する吸収シート５０を折りたたみ、吸収シート５０の第１周縁部２０ａの両隅部が係止部２５で溶着された形状である。以下において、汚物吸収シート１００の構成について、製造方法を参照しながら説明する。
【００１２】
図２は、汚物吸収シート１００の製造に用いられる吸収シート５０の平面図であり、図３は吸収シート５０の底面図である。また、図４は、図２の吸収シート５０をＩＶ−ＩＶ方向に見た場合の断面図である。図２〜４に示すように、吸収シート５０は、表面シート１２と裏面シート１３との間に吸収体１１が挟まれた本体部１０と、本体部１０の周囲に配置された吸収体１１を挟まない帯状の周縁部２０（２０ａ〜２０ｄ）とを備えた矩形形状（例えば長方形や正方形のような四角形）からなる。図２、３では、破線の内部が本体部１０、外部が周縁部２０となっている。
【００１３】
図２に示す表面シート１２には、柔軟で、液透過性シートが用いられる。例えば、合成繊維からなる不織布、織布などの他、多孔性プラスチックフィルムなどを用いても良い。不織布および織布の構成繊維としては、例えば、ポリプロピレン、ポリエチレン、ポリエステル、ナイロンなどの単繊維、または、ポリプロピレン、ポリエチレン、ポリエステル、ナイロンなどから選ばれた２成分からなる複合繊維などであっても良い。特に、ポリエステルとポリエチレンとの複合繊維、ポリプロピレンとポリエチレンとの複合繊維などは強度の面から好ましい。
【００１４】
図３に示す裏面シート１３には、柔軟で、液不透過性のシートが用いられる。例えば、ポリエチレンなどの液不透過性の単体シート、液不透過性シートと不織布とを貼り合わせた複合シートなどを用いても良い。裏面シート１３には、液体を透過させない程度の多数の微小な孔を設けたポリエチレン製フィルム、熱可塑性樹脂にフィラーを添加して延伸した透湿性フィルム、あるいは、これらのフィルムの外面側に不織布、織布を貼り合わせた複合シートを用いてもよい。
【００１５】
一方、本体部１０の吸収体１１は、例えば図４に示すように、仕切りシート１１ａ、１１ｃと、吸収ポリマが混在する綿状繊維マット１１ｂ、１１ｄとを、交互に積層して形成しても良い。仕切りシート１１ａ、１１ｃの材料としては、例えば、各種の不織布、織布が挙げられる。綿状繊維マット１１ｂ、１１ｄの材料としては、例えば、綿状に粉砕され、吸収性に優れたフラッフパルプが挙げられる。また、綿状繊維マット１１ｂ、１１ｄに混在させる吸収ポリマは、高い吸収性と保水性とを備え、尿などの液体を吸収し、ゲル状に凝固させるものが好ましく、例えば、デンプン-アクリル酸（塩）グラフト共重合のケン化物、ナトリウムカルボキシメチルセルロースの架橋物、アクリル酸（塩）重合体などが挙げられる。なお、ここでは、吸収体１１は、仕切りシートと綿状繊維マットとを交互に重ねた積層構造としたが、綿状繊維マット単体でもよい。
【００１６】
周縁部２０は、幅方向（図２では上下方向）に延びる第１周縁部２０ａ、第４周縁部２０ｄと、第１周縁部２０ａおよび第４周縁部２０ｄから垂直方向に延びる第２周縁部２０ｂおよび第３周縁部２０ｃとからなる。
【００１７】
次に、図５に示すように、吸収シート５０は、第２周縁部２０ｂおよび第３周縁部２０ｃを備えた両側から、均等に、表面シート１２側が内側になるように折り返され、第１折返し部１８と第２折返し部１９とを形成する。第２周縁部２０ｂと第３周縁部２０ｃとは、突き合わされた状態となる。この状態で、第１周縁部２０ａの両端部は、第１周縁部２０ａ自身と重なった状態となる。第４周縁部２０ｄについても同様である。
【００１８】
次に、図６に示すように、第１周縁部２０ａの隅部２５ａ、２５ｂを溶着して係止部２５を形成する。係止部２５では、折り返されて重なった第１周縁部２０ａが接合される。溶着される隅部２５ａ、２５ｂの形状は、例えば、一辺の長さが第１周縁部２０ａの幅（図６では、左右方向の長さ）に等しい矩形形状である。溶着には、例えば、熱シール、ホットメルトシール、高周波溶着などが用いられる。
【００１９】
なお、係止部２５の形状はこれに限るものではなく、汚物吸収シート１００に差込み便器１５０を挿入する際に、差込み便器１５０の挿入端部３７に当たって、挿入を停止でき、かつ両側の開口部１５を備えて、開口部１５の中に第１周縁部２０ａの端部を通して汚物吸収シート１００を裏返すことができれば、図６の形状に限定されない。例えば、正方形、長方形、楕円形等でも良い。また隅部２５ａ、２５ｂの間に隙間があり、係止部２５は複数の領域から構成されても良い。
以上により、本発明の実施の形態１にかかる汚物吸収シート１００が完成する。
【００２０】
図７は、図６の汚物吸収シート１００を裏向けた状態で、第１周縁部２０ａ側（図６では左側）から見た場合の図である。図７に示すように、係止部２５の両側に位置する、第１周縁部２０ａは溶着されず、第１周縁部２０ａで囲まれた開口端を有する開口部１５がそれぞれ形成される。
【００２１】
また、吸収シート５０は、係止部２５のみで溶着されているため、第１折返し部１８および第２折返し部１９は、係止部２５以外の場所では、図８に示すように、折り返し部分が開くようになっている。
【００２２】
続いて、汚物吸収シート１００が着脱可能に装着される差込み便器（ベッドパン）について説明する。図９は、全体が１５０で表される差込み便器の斜視図であり、図１０は、差込み便器１５０を他の方向から見た場合の斜視図である。また、図１１は、差込み便器１５０を裏向けた場合の斜視図である。
【００２３】
差込み便器１５０は、表面と裏面とを有する底面部３３と、底面部３３の表面の両側から立ち上がる１組の側壁部３５ａ、３５ｂを有する。１組の側壁部３５ａ、３５ｂの一方には、１組の側壁部３５ａ、３５ｂに連続する後壁部３４が設けられ、他方には、挿入端部３７が設けられている。
【００２４】
後壁部３４、側壁部３５ａ、３５ｂ、挿入端部３７の上には、平坦な折返し部３８が環状に設けられている。折返し部３８に囲まれた部分は、開口部３６となっている。側壁部３５ａ、３５ｂの高さは、後壁部３４から挿入端部３７に向かって漸次低くなり、折返し部３８は底面部３３に対して傾斜して配置される。これにより、差込み便器１５０が被介護者の股間に挿入しやすくなる。
【００２５】
図１０に示すように、後壁部３４と折返し部３８とを接続するように把持部３２が設けられ、差込み便器１５０の使用時に介護者により把持される。差込み便器１５０の材料には、例えばポリプロピレンが使用され、一体成形で作製されるのが好ましい。
【００２６】
続いて、図１２〜１７を用いて、汚物吸収シート１００の使用方法について説明する。
【００２７】
汚物吸収シート１００を差込み便器１５０に装着する場合、まず、第２周縁部２０ｂおよび第３周縁部２０ｃ側が上になるように、汚物吸収シート１００を配置する。続いて、図１２に示すように、裏向けた差込み便器１５０の把持部３２を持って、汚物吸収シート１００の裏面シート１３の上を、第４周縁部２０ｄ側から第１周縁部２０ａ方向に向かって、差込み便器１５０を滑らせて、汚物吸収シート１００内に差込み便器１５０を挿入する。
【００２８】
差込み便器１５０を挿入すると、第２周縁部２０ｂと第３周縁部２０ｃとの間隔が拡がり、汚物吸収シート１００の第１折返し部１８および第２折返し部１９が、それぞれ、差込み便器１５０の側壁部３５ａ、３５ｂを包むようになる。差込み便器１５０の挿入端部３７が、汚物吸収シート１００の係止部２５に当たることで、挿入が完了する。
【００２９】
汚物吸収シート１００の第１周縁部２０ａでは、係止部２５の両側が開放されて開口部１５となっているため、差込み便器１５０の挿入時に、汚物吸収シート１００の端部に空気がたまって膨れることなく、差込み便器１５０を滑らかに挿入できる。
【００３０】
次に、汚物吸収シート１００を装着したまま、差込み便器１５０を表返す。図１３は、差込み便器１５０を表返した状態の平面図であり、図１４は斜視図である。図１３、１４に示すように、差込み便器１５０の開口部３６の中に、差込み便器１５０の底面部３３に向かって、汚物吸収シート１００を押し込み、凹部を形成する。この状態で、汚物吸収シート１００は、差込み便器１５０の把持部３２を覆う。以上で、差込み便器１５０への汚物吸収シート１００の装着が完了する。
【００３１】
差込み便器１５０に汚物吸収シート１００を装着した状態で、図１５に示すように、汚物吸収シート１００で覆われた把持部３２を介護者が掴み、図１６に示すように、被介護者の股間に差込む。この状態で、被介護者が排泄を行う。このとき、把持部３２は汚物吸収シート１００で覆われているため、排泄物で把持部３２が汚れることはない。
【００３２】
被介護者が排泄を終えた後、汚物吸収シート１００を裏返して排泄物を包んだ状態で汚物吸収シートを差込み便器１５０から取り外し、廃棄する。汚物吸収シート１００では、図７に示すように、係止部２５の両側に開口部１５を有するため、図１７に示すように、第１周縁部２０ａの両端部（図１７のＡ１、Ａ２）を、それぞれ開口部１５の中を通すことで、簡単に汚物吸収シート１００を裏返して、排泄物を包むことができる。このため、汚物吸収シート１００を差込み便器１５０から取り外す際の、排泄物の飛び散り等を防止することができる。
【００３３】
係止部２５から、第１周縁部２０ａの２つの端部Ａ１、Ａ２までの距離は、等しいことが好ましいが、両端部Ａ１、Ａ２が開口部１５の中を通って汚物吸収シート１００を裏返せる限り、特にこの距離は等しくなくても良い。
【００３４】
このように、本発明の実施の形態１にかかる汚物吸収シート１００では、第１周縁部２０ａが係止部２５を有し、かつその両側に開口部１５を有することで、差込み便器１５０を両側から包み込むように、迅速に差込み便器１５０に汚物吸収シート１００を装着できる。また、開口部１５を利用して容易に汚物吸収シート１００を裏返し、排泄物を包むことができ、清潔で迅速な取り外しが可能となる。
【００３５】
＜実施の形態２＞
図１８、１９は、全体が２００で表される、本発明の実施の形態２にかかる汚物吸収シートの平面図である。図１８、１９中、図１と同一符合は、同一または相当箇所を示す。
【００３６】
本発明の実施の形態２にかかる汚物吸収シート２００では、第２周縁部２０ｂと第３周縁部２０ｃを重ね合わせた状態で、係止部２５により第１周縁部２０ａが溶着されている。即ち、第１折返し部１８と第２折返し部１９とは、第２周縁部２０ｂと第３周縁部２０ｃとが重なるように形成されている。他の構成は、汚物吸収シート１００と同様である。
【００３７】
本発明の実施の形態２にかかる汚物吸収シート２００によれば、汚物吸収シート１００よりも小さな面積の係止部２５で第１周縁部の溶着が可能となり、製造工程が簡単になり、生産性が向上する。
【００３８】
＜実施の形態３＞
図２０、２１は、全体が３００で表される、本発明の実施の形態３にかかる汚物吸収シートの平面図である。図２０、２１中、図１８、１９と同一符合は、同一または相当箇所を示す。
【００３９】
本発明の実施の形態３にかかる汚物吸収シート３００では、第２周縁部２０ｂと第３周縁部２０ｃとが重なり合う領域のうち、第１周縁部２０ａに設けられた係止部２５に隣接する位置にも、副係止部２７が形成されている。副係止部２７は、第２周縁部２０ｂと第３周縁部２０ｃとだけを相互に接合し、本体部１０には接合されていない。他の構成は、汚物吸収シート２００と同様である。
【００４０】
本発明の実施の形態３にかかる汚物吸収シート３００によれば、副係止部２７を設けることにより、差込み便器１５０の挿入端部３７が汚物吸収シート１００に深く係合し、差込み便器１５０が汚物吸収シート３００からより一層外れにくくなり、装着しやすくなる。
【００４１】
副係止部２７の長さ（図２０の左右方向）は、第１周縁部２０ａの幅（図２０の左右方向）の５倍以下、好適には３倍以下である。５倍を超えると、逆に差込み便器１５０が装着しにくくなる。
【００４２】
＜実施の形態４＞
図２２、２３は、全体が４００で表される、本発明の実施の形態４にかかる汚物吸収シートの平面図である。図２２、２３中、図１８、１９と同一符合は、同一または相当箇所を示す。
【００４３】
本発明の実施の形態４にかかる汚物吸収シート４００では、第２周縁部２０ｂが、第３周縁部２０ｃより内側になるように、第１折返し部１８と第２折返し部１９とが重ねられ、第１周縁部２０ａに設けられた係止部２５が溶着されている。他の構成は、汚物吸収シート２００と同様である。
【００４４】
本発明の実施の形態４にかかる汚物吸収シート４００によれば、第２周縁部２０ｂが、第３周縁部２０ｃより内側になるようにすることで、差込み便器１５０が汚物吸収シート４００により、さらに包み込まれ、一層外れにくくなり、装着しやすくなる。また、第１折返し部１８と第２折返し部１９との重ねる量を調整することにより、差込み便器１５０の大きさに応じて汚物吸収シート４００の幅を調整できる。
【００４５】
＜実施の形態５＞
図２４、２５は、全体が５００で表される、本発明の実施の形態５にかかる汚物吸収シートの平面図である。図２４、２５中、図１８、１９と同一符合は、同一または相当箇所を示す。
【００４６】
本発明の実施の形態５にかかる汚物吸収シート５００では、第２周縁部２０ｂと第３周縁部２０ｃとの間にスリット２９が設けられた状態で、係止部２５により第１周縁部２０ａが接合されている。他の構成は、汚物吸収シート２００と同様である。
【００４７】
本発明の実施の形態５にかかる汚物吸収シート５００によれば、汚物吸収シート５００に挿入される差込み便器１５０の挿入端部３７の位置を、スリット２９の間から目視でき、差込み便器１５０の位置決めが容易になる。また、汚物吸収シート５００に用いる吸収シート５０の面積を小さくでき、材料を減らして、コストの低減が可能になる。
【００４８】
＜実施の形態６＞
図２６は、全体が６００で表される、本発明の実施の形態６にかかる汚物吸収シートの平面図である。図２５中、図１８、１９と同一符合は、同一または相当箇所を示す。
【００４９】
本発明の実施の形態６にかかる汚物吸収シート６００では、第１周縁部２０ａに設けられた係止部２５に加えて、第４周縁部２０ｄにも係止部２６が設けられている。係止部２６は、重ねられた第４周縁部２０ｄを溶着し、その両側は開口部１６となっている。他の構成は、汚物吸収シート２００と同様である。
【００５０】
本発明の実施の形態６にかかる汚物吸収シート６００によれば、係止部２５は差込み便器１５０の挿入端部３７の位置決めに用い、これを被覆する。一方、係止部２６は、差込み便器１５０の把持部３２に固定され、かつ、把持部３２全体を確実に被覆する。特に、差込み便器１５０の開口部３６に汚物吸収シート６００を押し込んだ際に、係止部２６が把持部３２に当たって位置決めされる。このため、装着性がより一層向上するとともに、差込み便器１５０の把持部３２に排泄物が付着することを確実に防止できる。
【００５１】
なお、実施の形態１〜６では、吸収シート５０の全周に、周縁部２０ａ、２０ｂ、２０ｃ、２０ｄが形成された場合について説明したが、少なくとも第１周縁部２０ａが設けられていれば、係止部２５の作製は可能になる。
【産業上の利用可能性】
【００５２】
本発明は、差込み便器に装着して使用される、着脱可能な汚物吸収シートである。
【符号の説明】
【００５３】
１０  本体部
１１  吸収体
１２  表面シート
１３  裏面シート
１５  開口部
１６  開口部
１８  第１折返し部
１９  第２折返し部
２０  周縁部
２５  係止部
２６  係止部
２７  副係止部
３２  把持部
３３  底面部
３４  後壁部
３５  側壁部
３６  開口部
３７  挿入端部
３８  折返し部
５０  吸収シート
１５０  差込み便器
１００  汚物吸収シート
【図１】
2020130998.tif 000003
【図２】
2020130998.tif 000004
【図３】
2020130998.tif 000005
【図４】
2020130998.tif 000006
【図５】
2020130998.tif 000007
【図６】
2020130998.tif 000008
【図７】
2020130998.tif 000009
【図８】
2020130998.tif 000010
【図９】
2020130998.tif 000011
【図１０】
2020130998.tif 000012
【図１１】
2020130998.tif 000013
【図１２】
2020130998.tif 000014
【図１３】
2020130998.tif 000015
【図１４】
2020130998.tif 000016
【図１５】
2020130998.tif 000017
【図１６】
2020130998.tif 000018
【図１７】
2020130998.tif 000019
【図１８】
2020130998.tif 000020
【図１９】
2020130998.tif 000021
【図２０】
2020130998.tif 000022
【図２１】
2020130998.tif 000023
【図２２】
2020130998.tif 000024
【図２３】
2020130998.tif 000025
【図２４】
2020130998.tif 000026
【図２５】
2020130998.tif 000027
【図２６】
2020130998.tif 000028
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
差込み便器に着脱可能に装着する汚物吸収シートであって、
前記汚物吸収シートは、
裏面シートと表面シートとの間に吸収体が挟まれた本体部と、
前記本体部の周囲に配置された吸収体を挟まない周縁部と、を備えた四角形の吸収シートからなり、
前記吸収シートの前記周縁部は、幅方向に延びる第１周縁部と、前記第１周縁部から垂直方向に延びる第２周縁部および第３周縁部と、を含み、
前記吸収シートは、前記第２周縁部および前記第３周縁部を備えた両側から内側に折返し端部で折り返され、前記第１周縁部の両隅部が前記第１周縁部自身と重なった状態で固定されてなる係止部と、前記係止部の両側で、前記第１周縁部に囲まれた開口部と、を有し、
前記係止部は、前記差込み便器の挿入端部が前記第１周縁部に向けて前記汚物吸収シートの内側に挿入され、前記汚物吸収シートが前記差込み便器に取り付けられたときに、前記挿入端部に当接する前記係止部であり、
前記開口部は、前記汚物吸収シートが前記差込み便器から取り外されるときに、前記折返し端部がその中を通って前記汚物吸収シートが裏返される前記開口部である、ことを特徴とする汚物吸収シート。
【請求項２】
前記係止部は、前記第２周縁部と前記第３周縁部とが突き合わせた状態で、前記第１周縁部の両隅部が前記第１周縁部自身に固定された係止部であることを特徴とする請求項１に記載の汚物吸収シート。
【請求項３】
前記係止部は、前記第２周縁部と前記第３周縁部とを重ねた状態で、前記前記第１周縁部の両隅部が前記第１周縁部自身に固定された係止部であることを特徴とする請求項１に記載の汚物吸収シート。
【請求項４】
前記係止部に隣接して、前記第２周縁部に前記第３周縁部が固定された副係止部を有することを特徴とする請求項３に記載の汚物吸収シート。
【請求項５】
前記係止部は、前記第２周縁部と前記第３周縁部が所定の間隔で平行に配置された状態で、前記前記第１周縁部の両隅部が前記第１周縁部自身に固定された係止部であることを特徴とする請求項１に記載の汚物吸収シート。
【請求項６】
前記係止部は、前記第２周縁部と前記第３周縁部との間にスリットを有することを特徴とする請求項５に記載の汚物吸収シート。
【請求項７】
前記係止部は、前記第１周縁部同士が溶着された矩形の溶着部からなることを特徴とする請求項１〜６のいずれか１項に記載の汚物吸収シート。
【請求項８】
前記係止部から、前記第１周縁部の２つの前記折返し端部までの距離が等しいことを特徴とする請求項１〜７のいずれか１項に記載の汚物吸収シート。
【手続補正２】
【補正対象書類名】明細書
【補正対象項目名】全文
【補正方法】変更
【補正の内容】
【発明の詳細な説明】
【技術分野】
【０００１】
本発明は、差込み便器に装着して使用する汚物吸着シートに関し、特に、差込み便器に着脱可能に装着でき、使い捨てが可能な介護用の汚物吸着シートに関する。
【背景技術】
【０００２】
被介護者が仰向けに寝た状態で排泄物を処理する場合、仰臥位の被介護者の股間に便器を差し込んで、排泄物の処理が行われる。この場合、差込み便器に着脱可能な汚物吸収シートを被せて被介護者の股間に差込み、被介護者が排泄を終えた後、汚物吸収シートを裏返して排泄物を包んだ状態で汚物吸収シートを差込み便器から外し廃棄する（例えば、特許文献１、２参照）。特に、介護の現場では、差込み便器への汚物吸収シートの脱着を、迅速かつ正確に行う必要があるとともに、衛生面から、排泄物の廃棄時は、排泄物を汚物吸収シートで覆い、介護者に触れないようにする必要がある。
【０００３】
例えば、特許文献１では、汚物吸収シートの先端部を折り返して係止部とし、この係止部に差込み便器の先端を挟むことで汚物吸収シートを差込み便器に装着し、被介護者の股間に差込んで排泄を行った後、汚物吸収シートを差込み便器から外して排泄物の廃棄を行っている。また、引用文献２では、汚物吸収シートの先端部を袋状に閉じることにより、この袋状の先端部に差込み便器の先端を差し込むことで汚物吸収シートを差込み便器に装着し、被介護者の股間に差込んで排泄を行った後、汚物吸収シートを差込み便器から外して排泄物の廃棄を行っている。
【先行技術文献】
【特許文献】
【０００４】
【特許文献１】実開平３−１０４３１７号公報
【特許文献２】特許第６３４２０４７号公報
【発明の概要】
【発明が解決しようとする課題】
【０００５】
しかしながら、引用文献１の汚物吸収シートでは、係止部は、汚物吸収シートの先端部を折り返しただけの構造であり、汚物吸収シートに差込み便器を装着する際に、差込方向と垂直な方向に、差込み便器がずれる場合がある。また、汚物吸収シートに差込み便器を装着した状態で、被介護者の股間に挿入する場合、係止部の折り返しがのびて、汚物吸収シートが差込み便器からずれるという問題があった。
【０００６】
また、引用文献２の汚物吸収シートでは、汚物吸収シートの先端部を袋状に閉じられているため、汚物吸収シートのずれは防止できるが、一方で、汚物吸収シートを裏返して排泄物を汚物吸収シートで覆う作業が迅速に行えず、また裏返し時に、排泄物が飛散し、衛生面で問題があった。
【０００７】
そこで、本発明は、迅速さが要求される介護の現場に適用でき、迅速で正確な着脱を可能にすると共に、衛生的な排泄物の処理を可能にした、差込み便器用の汚物吸収シートの提供を目的とする。
【課題を解決するための手段】
【０００８】
本発明の形態は、
差込み便器に着脱可能に装着する汚物吸収シートであって、
汚物吸収シートは、
裏面シートと表面シートとの間に吸収体が挟まれた本体部と、
本体部の周囲に配置された吸収体を挟まない周縁部と、を備えた四角形の吸収シートからなり、
吸収シートの周縁部は、幅方向に延びる第１周縁部と、第１周縁部から垂直方向に延びる第２周縁部および第３周縁部と、を含み、
吸収シートは、第２周縁部および第３周縁部を備えた両側から内側に折返し端部で折り返され、第１周縁部の両隅部が第１周縁部自身と重なった状態で固定されてなる係止部と、係止部の両側で、第１周縁部に囲まれた開口部と、を有し、
係止部は、差込み便器の挿入端部が第１周縁部に向けて汚物吸収シートの内側に挿入され、汚物吸収シートが差込み便器に取り付けられたときに、挿入端部に当接する係止部であり、
開口部は、汚物吸収シートが差込み便器から取り外されるときに、折返し端部がその中を通って汚物吸収シートが裏返される開口部である、ことを特徴とする汚物吸収シートである。
【発明の効果】
【０００９】
本発明にかかる汚物吸収シートでは、汚物吸収シートの内側に、係止部に当たるまで差込み便器を挿入することで、汚物吸収シートで包まれた状態で汚物吸収シートを差込み便器に取り付けることができる。また、開口部を利用して汚物吸収シートを裏返すことで、排泄物を覆った状態で汚物吸収シートの取り外しが可能となり、正確で容易かつ迅速な着脱および衛生的な排泄物の処理が可能な汚物吸収シートを提供できる。
【図面の簡単な説明】
【００１０】
【図１】本発明の実施の形態１にかかる汚物吸収シートの斜視図である。
【図２】本発明の実施の形態１にかかる汚物吸収シートに用いる吸収シートの平面図である。
【図３】本発明の実施の形態１にかかる汚物吸収シートに用いる吸収シートの底面図である。
【図４】図２に示した吸収シートをＩＶ−ＩＶ方向に見た場合の断面図である。
【図５】本発明の実施の形態１にかかる汚物吸収シートの平面図である。
【図６】本発明の実施の形態１にかかる汚物吸収シートの平面図である。
【図７】本発明の実施の形態１にかかる汚物吸収シートの開口部を示す斜視図である。
【図８】本発明の実施の形態１にかかる汚物吸収シートの平面図である。
【図９】本発明の実施の形態１にかかる汚物吸収シートが装着される差込み便器の斜視図である。
【図１０】本発明の実施の形態１にかかる汚物吸収シートが装着される差込み便器の他の斜視図である。
【図１１】本発明の実施の形態１にかかる汚物吸収シートが装着される差込み便器の他の斜視図である。
【図１２】本発明の実施の形態１にかかる汚物吸収シートを差込み便器に装着する工程を示す斜視図である。
【図１３】本発明の実施の形態１にかかる汚物吸収シートを差込み便器に装着する工程を示す平面図である。
【図１４】本発明の実施の形態１にかかる汚物吸収シートを差込み便器に装着する工程を示す斜視図である。
【図１５】本発明の実施の形態１にかかる汚物吸収シートの使用状態を示す斜視図である。
【図１６】本発明の実施の形態１にかかる汚物吸収シートの使用状態を示す概略図である。
【図１７】本発明の実施の形態１にかかる汚物吸収シートの取り外し工程を示す斜視図である。
【図１８】本発明の実施の形態２にかかる汚物吸収シートの平面図である。
【図１９】本発明の実施の形態２にかかる汚物吸収シートの平面図である。
【図２０】本発明の実施の形態３にかかる汚物吸収シートの平面図である。
【図２１】本発明の実施の形態３にかかる汚物吸収シートの平面図である。
【図２２】本発明の実施の形態４にかかる汚物吸収シートの平面図である。
【図２３】本発明の実施の形態４にかかる汚物吸収シートの平面図である。
【図２４】本発明の実施の形態５にかかる汚物吸収シートの平面図である。
【図２５】本発明の実施の形態５にかかる汚物吸収シートの平面図である。
【図２６】本発明の実施の形態６にかかる汚物吸収シートの平面図である。
【発明を実施するための形態】
【００１１】
＜実施の形態１＞
図１は、全体が１００で表される、本発明の実施の形態１にかかる汚物吸収シートの斜視図である。汚物吸収シート１００は、後述する吸収シート５０を折りたたみ、吸収シート５０の第１周縁部２０ａの両隅部が係止部２５で溶着された形状である。以下において、汚物吸収シート１００の構成について、製造方法を参照しながら説明する。
【００１２】
図２は、汚物吸収シート１００の製造に用いられる吸収シート５０の平面図であり、図３は吸収シート５０の底面図である。また、図４は、図２の吸収シート５０をＩＶ−ＩＶ方向に見た場合の断面図である。図２〜４に示すように、吸収シート５０は、表面シート１２と裏面シート１３との間に吸収体１１が挟まれた本体部１０と、本体部１０の周囲に配置された吸収体１１を挟まない帯状の周縁部２０（２０ａ〜２０ｄ）とを備えた矩形形状（例えば長方形や正方形のような四角形）からなる。図２、３では、破線の内部が本体部１０、外部が周縁部２０となっている。
【００１３】
図２に示す表面シート１２には、柔軟で、液透過性シートが用いられる。例えば、合成繊維からなる不織布、織布などの他、多孔性プラスチックフィルムなどを用いても良い。不織布および織布の構成繊維としては、例えば、ポリプロピレン、ポリエチレン、ポリエステル、ナイロンなどの単繊維、または、ポリプロピレン、ポリエチレン、ポリエステル、ナイロンなどから選ばれた２成分からなる複合繊維などであっても良い。特に、ポリエステルとポリエチレンとの複合繊維、ポリプロピレンとポリエチレンとの複合繊維などは強度の面から好ましい。
【００１４】
図３に示す裏面シート１３には、柔軟で、液不透過性のシートが用いられる。例えば、ポリエチレンなどの液不透過性の単体シート、液不透過性シートと不織布とを貼り合わせた複合シートなどを用いても良い。裏面シート１３には、液体を透過させない程度の多数の微小な孔を設けたポリエチレン製フィルム、熱可塑性樹脂にフィラーを添加して延伸した透湿性フィルム、あるいは、これらのフィルムの外面側に不織布、織布を貼り合わせた複合シートを用いてもよい。
【００１５】
一方、本体部１０の吸収体１１は、例えば図４に示すように、仕切りシート１１ａ、１１ｃと、吸収ポリマが混在する綿状繊維マット１１ｂ、１１ｄとを、交互に積層して形成しても良い。仕切りシート１１ａ、１１ｃの材料としては、例えば、各種の不織布、織布が挙げられる。綿状繊維マット１１ｂ、１１ｄの材料としては、例えば、綿状に粉砕され、吸収性に優れたフラッフパルプが挙げられる。また、綿状繊維マット１１ｂ、１１ｄに混在させる吸収ポリマは、高い吸収性と保水性とを備え、尿などの液体を吸収し、ゲル状に凝固させるものが好ましく、例えば、デンプン-アクリル酸（塩）グラフト共重合のケン化物、ナトリウムカルボキシメチルセルロースの架橋物、アクリル酸（塩）重合体などが挙げられる。なお、ここでは、吸収体１１は、仕切りシートと綿状繊維マットとを交互に重ねた積層構造としたが、綿状繊維マット単体でもよい。
【００１６】
周縁部２０は、幅方向（図２では上下方向）に延びる第１周縁部２０ａ、第４周縁部２０ｄと、第１周縁部２０ａおよび第４周縁部２０ｄから垂直方向に延びる第２周縁部２０ｂおよび第３周縁部２０ｃとからなる。
【００１７】
次に、図５に示すように、吸収シート５０は、第２周縁部２０ｂおよび第３周縁部２０ｃを備えた両側から、均等に、表面シート１２側が内側になるように折り返され、第１折返し部１８と第２折返し部１９とを形成する。第２周縁部２０ｂと第３周縁部２０ｃとは、突き合わされた状態となる。この状態で、第１周縁部２０ａの両隅部は、第１周縁部２０ａ自身と重なった状態となる。第４周縁部２０ｄについても同様である。
【００１８】
次に、図６に示すように、第１周縁部２０ａの隅部２５ａ、２５ｂを溶着して係止部２５を形成する。係止部２５では、折り返されて重なった第１周縁部２０ａが接合される。溶着される隅部２５ａ、２５ｂの形状は、例えば、一辺の長さが第１周縁部２０ａの幅（図６では、左右方向の長さ）に等しい矩形形状である。溶着には、例えば、熱シール、ホットメルトシール、高周波溶着などが用いられる。
【００１９】
なお、係止部２５の形状はこれに限るものではなく、汚物吸収シート１００に差込み便器１５０を挿入する際に、差込み便器１５０の挿入端部３７に当たって、挿入を停止でき、かつ両側の開口部１５を備えて、開口部１５の中に第１周縁部２０ａの折返し端部を通して汚物吸収シート１００を裏返すことができれば、図６の形状に限定されない。例えば、正方形、長方形、楕円形等でも良い。また隅部２５ａ、２５ｂの間に隙間があり、係止部２５は複数の領域から構成されても良い。
以上により、本発明の実施の形態１にかかる汚物吸収シート１００が完成する。
【００２０】
図７は、図６の汚物吸収シート１００を裏向けた状態で、第１周縁部２０ａ側（図６では左側）から見た場合の図である。図７に示すように、係止部２５の両側に位置する、第１周縁部２０ａは溶着されず、第１周縁部２０ａで囲まれた開口端を有する開口部１５がそれぞれ形成される。
【００２１】
また、吸収シート５０は、係止部２５のみで溶着されているため、第１折返し部１８および第２折返し部１９は、係止部２５以外の場所では、図８に示すように、折り返し部分が開くようになっている。
【００２２】
続いて、汚物吸収シート１００が着脱可能に装着される差込み便器（ベッドパン）について説明する。図９は、全体が１５０で表される差込み便器の斜視図であり、図１０は、差込み便器１５０を他の方向から見た場合の斜視図である。また、図１１は、差込み便器１５０を裏向けた場合の斜視図である。
【００２３】
差込み便器１５０は、表面と裏面とを有する底面部３３と、底面部３３の表面の両側から立ち上がる１組の側壁部３５ａ、３５ｂを有する。１組の側壁部３５ａ、３５ｂの一方には、１組の側壁部３５ａ、３５ｂに連続する後壁部３４が設けられ、他方には、挿入端部３７が設けられている。
【００２４】
後壁部３４、側壁部３５ａ、３５ｂ、挿入端部３７の上には、平坦な折返し部３８が環状に設けられている。折返し部３８に囲まれた部分は、開口部３６となっている。側壁部３５ａ、３５ｂの高さは、後壁部３４から挿入端部３７に向かって漸次低くなり、折返し部３８は底面部３３に対して傾斜して配置される。これにより、差込み便器１５０が被介護者の股間に挿入しやすくなる。
【００２５】
図１０に示すように、後壁部３４と折返し部３８とを接続するように把持部３２が設けられ、差込み便器１５０の使用時に介護者により把持される。差込み便器１５０の材料には、例えばポリプロピレンが使用され、一体成形で作製されるのが好ましい。
【００２６】
続いて、図１２〜１７を用いて、汚物吸収シート１００の使用方法について説明する。
【００２７】
汚物吸収シート１００を差込み便器１５０に装着する場合、まず、第２周縁部２０ｂおよび第３周縁部２０ｃ側が上になるように、汚物吸収シート１００を配置する。続いて、図１２に示すように、裏向けた差込み便器１５０の把持部３２を持って、汚物吸収シート１００の裏面シート１３の上を、第４周縁部２０ｄ側から第１周縁部２０ａ方向に向かって、差込み便器１５０を滑らせて、汚物吸収シート１００内に差込み便器１５０を挿入する。
【００２８】
差込み便器１５０を挿入すると、第２周縁部２０ｂと第３周縁部２０ｃとの間隔が拡がり、汚物吸収シート１００の第１折返し部１８および第２折返し部１９が、それぞれ、差込み便器１５０の側壁部３５ａ、３５ｂを包むようになる。差込み便器１５０の挿入端部３７が、汚物吸収シート１００の係止部２５に当たることで、挿入が完了する。
【００２９】
汚物吸収シート１００の第１周縁部２０ａでは、係止部２５の両側が開放されて開口部１５となっているため、差込み便器１５０の挿入時に、汚物吸収シート１００の端部に空気がたまって膨れることなく、差込み便器１５０を滑らかに挿入できる。
【００３０】
次に、汚物吸収シート１００を装着したまま、差込み便器１５０を表返す。図１３は、差込み便器１５０を表返した状態の平面図であり、図１４は斜視図である。図１３、１４に示すように、差込み便器１５０の開口部３６の中に、差込み便器１５０の底面部３３に向かって、汚物吸収シート１００を押し込み、凹部を形成する。この状態で、汚物吸収シート１００は、差込み便器１５０の把持部３２を覆う。以上で、差込み便器１５０への汚物吸収シート１００の装着が完了する。
【００３１】
差込み便器１５０に汚物吸収シート１００を装着した状態で、図１５に示すように、汚物吸収シート１００で覆われた把持部３２を介護者が掴み、図１６に示すように、被介護者の股間に差込む。この状態で、被介護者が排泄を行う。このとき、把持部３２は汚物吸収シート１００で覆われているため、排泄物で把持部３２が汚れることはない。
【００３２】
被介護者が排泄を終えた後、汚物吸収シート１００を裏返して排泄物を包んだ状態で汚物吸収シートを差込み便器１５０から取り外し、廃棄する。汚物吸収シート１００では、図７に示すように、係止部２５の両側に開口部１５を有するため、図１７に示すように、第１周縁部２０ａの両折返し端部（図１７のＡ１、Ａ２）を、それぞれ開口部１５の中を通すことで、簡単に汚物吸収シート１００を裏返して、排泄物を包むことができる。このため、汚物吸収シート１００を差込み便器１５０から取り外す際の、排泄物の飛び散り等を防止することができる。
【００３３】
係止部２５から、第１周縁部２０ａの２つの折返し端部Ａ１、Ａ２までの距離は、等しいことが好ましいが、両折返し端部Ａ１、Ａ２が開口部１５の中を通って汚物吸収シート１００を裏返せる限り、特にこの距離は等しくなくても良い。
【００３４】
このように、本発明の実施の形態１にかかる汚物吸収シート１００では、第１周縁部２０ａが係止部２５を有し、かつその両側に開口部１５を有することで、差込み便器１５０を両側から包み込むように、迅速に差込み便器１５０に汚物吸収シート１００を装着できる。また、開口部１５を利用して容易に汚物吸収シート１００を裏返し、排泄物を包むことができ、清潔で迅速な取り外しが可能となる。
【００３５】
＜実施の形態２＞
図１８、１９は、全体が２００で表される、本発明の実施の形態２にかかる汚物吸収シートの平面図である。図１８、１９中、図１と同一符合は、同一または相当箇所を示す。
【００３６】
本発明の実施の形態２にかかる汚物吸収シート２００では、第２周縁部２０ｂと第３周縁部２０ｃを重ね合わせた状態で、係止部２５により第１周縁部２０ａが溶着されている。即ち、第１折返し部１８と第２折返し部１９とは、第２周縁部２０ｂと第３周縁部２０ｃとが重なるように形成されている。他の構成は、汚物吸収シート１００と同様である。
【００３７】
本発明の実施の形態２にかかる汚物吸収シート２００によれば、汚物吸収シート１００よりも小さな面積の係止部２５で第１周縁部の溶着が可能となり、製造工程が簡単になり、生産性が向上する。
【００３８】
＜実施の形態３＞
図２０、２１は、全体が３００で表される、本発明の実施の形態３にかかる汚物吸収シートの平面図である。図２０、２１中、図１８、１９と同一符合は、同一または相当箇所を示す。
【００３９】
本発明の実施の形態３にかかる汚物吸収シート３００では、第２周縁部２０ｂと第３周縁部２０ｃとが重なり合う領域のうち、第１周縁部２０ａに設けられた係止部２５に隣接する位置にも、副係止部２７が形成されている。副係止部２７は、第２周縁部２０ｂと第３周縁部２０ｃとだけを相互に接合し、本体部１０には接合されていない。他の構成は、汚物吸収シート２００と同様である。
【００４０】
本発明の実施の形態３にかかる汚物吸収シート３００によれば、副係止部２７を設けることにより、差込み便器１５０の挿入端部３７が汚物吸収シート１００に深く係合し、差込み便器１５０が汚物吸収シート３００からより一層外れにくくなり、装着しやすくなる。
【００４１】
副係止部２７の長さ（図２０の左右方向）は、第１周縁部２０ａの幅（図２０の左右方向）の５倍以下、好適には３倍以下である。５倍を超えると、逆に差込み便器１５０が装着しにくくなる。
【００４２】
＜実施の形態４＞
図２２、２３は、全体が４００で表される、本発明の実施の形態４にかかる汚物吸収シートの平面図である。図２２、２３中、図１８、１９と同一符合は、同一または相当箇所を示す。
【００４３】
本発明の実施の形態４にかかる汚物吸収シート４００では、第２周縁部２０ｂが、第３周縁部２０ｃより内側になるように、第１折返し部１８と第２折返し部１９とが重ねられ、第１周縁部２０ａに設けられた係止部２５が溶着されている。他の構成は、汚物吸収シート２００と同様である。
【００４４】
本発明の実施の形態４にかかる汚物吸収シート４００によれば、第２周縁部２０ｂが、第３周縁部２０ｃより内側になるようにすることで、差込み便器１５０が汚物吸収シート４００により、さらに包み込まれ、一層外れにくくなり、装着しやすくなる。また、第１折返し部１８と第２折返し部１９との重ねる量を調整することにより、差込み便器１５０の大きさに応じて汚物吸収シート４００の幅を調整できる。
【００４５】
＜実施の形態５＞
図２４、２５は、全体が５００で表される、本発明の実施の形態５にかかる汚物吸収シートの平面図である。図２４、２５中、図１８、１９と同一符合は、同一または相当箇所を示す。
【００４６】
本発明の実施の形態５にかかる汚物吸収シート５００では、第２周縁部２０ｂと第３周縁部２０ｃとの間にスリット２９が設けられた状態で、係止部２５により第１周縁部２０ａが接合されている。他の構成は、汚物吸収シート２００と同様である。
【００４７】
本発明の実施の形態５にかかる汚物吸収シート５００によれば、汚物吸収シート５００に挿入される差込み便器１５０の挿入端部３７の位置を、スリット２９の間から目視でき、差込み便器１５０の位置決めが容易になる。また、汚物吸収シート５００に用いる吸収シート５０の面積を小さくでき、材料を減らして、コストの低減が可能になる。
【００４８】
＜実施の形態６＞
図２６は、全体が６００で表される、本発明の実施の形態６にかかる汚物吸収シートの平面図である。図２５中、図１８、１９と同一符合は、同一または相当箇所を示す。
【００４９】
本発明の実施の形態６にかかる汚物吸収シート６００では、第１周縁部２０ａに設けられた係止部２５に加えて、第４周縁部２０ｄにも係止部２６が設けられている。係止部２６は、重ねられた第４周縁部２０ｄを溶着し、その両側は開口部１６となっている。他の構成は、汚物吸収シート２００と同様である。
【００５０】
本発明の実施の形態６にかかる汚物吸収シート６００によれば、係止部２５は差込み便器１５０の挿入端部３７の位置決めに用い、これを被覆する。一方、係止部２６は、差込み便器１５０の把持部３２に固定され、かつ、把持部３２全体を確実に被覆する。特に、差込み便器１５０の開口部３６に汚物吸収シート６００を押し込んだ際に、係止部２６が把持部３２に当たって位置決めされる。このため、装着性がより一層向上するとともに、差込み便器１５０の把持部３２に排泄物が付着することを確実に防止できる。
【００５１】
なお、実施の形態１〜６では、吸収シート５０の全周に、周縁部２０ａ、２０ｂ、２０ｃ、２０ｄが形成された場合について説明したが、少なくとも第１周縁部２０ａが設けられていれば、係止部２５の作製は可能になる。
【産業上の利用可能性】
【００５２】
本発明は、差込み便器に装着して使用される、着脱可能な汚物吸収シートである。
【符号の説明】
【００５３】
１０  本体部
１１  吸収体
１２  表面シート
１３  裏面シート
１５  開口部
１６  開口部
１８  第１折返し部
１９  第２折返し部
２０  周縁部
２５  係止部
２６  係止部
２７  副係止部
３２  把持部
３３  底面部
３４  後壁部
３５  側壁部
３６  開口部
３７  挿入端部
３８  折返し部
５０  吸収シート
１５０  差込み便器
１００  汚物吸収シート